(57)【要約】【課題】使用するユーザや用途が異なる場合に、媒体あるいは装置に記録されている情報を利用して、記録媒体に記録されている再生開始点を無効化あるいは消去し、動画像を最初から再生できる記録再生装置および記録媒体を提供する。【解決手段】動画像を記録可能であり、かつ、上記動画像に関連した管理情報を記録可能なリムーバブル記録媒体に対して、情報の書き込みおよび読み込みが可能な記録再生装置であって、上記リムーバブル記録媒体の管理情報と、自装置の情報とを比較し、上記管理情報内容を書き換え可能である。すなわち、媒体の持つ管理データに装置やユーザのIDなどの使用環境に関する情報を持たせ、実際に使用する装置の情報と記録された情報を比較し、処理動作を変更させるようにした。【選択図】  図１
2008097790.tif 000002
【特許請求の範囲】
【請求項１】
動画像を記録可能であり、かつ、上記動画像に関連した管理情報を記録可能なリムーバブル記録媒体に対して、情報の書き込みおよび読み込みが可能な記録再生装置であって、
上記リムーバブル記録媒体の管理情報と、自装置の情報とを比較し、
上記管理情報の内容を書き換え可能である
ことを特徴とする、記録再生装置。
【請求項２】
請求項１に記載のリムーバブル記録媒体であって、
管理情報の構成要素として再生開始点を記録可能であり、
記録した再生開始点を任意のタイミングで消去可能である
ことを特徴とする、リムーバブル記録媒体。
【請求項３】
請求項１に記載のリムーバブル記録媒体であって、
管理情報の構成要素として、記録再生装置に割り当てられた装置ＩＤを記録可能であることを特徴とする、リムーバブル記録媒体。
【請求項４】
請求項２に記載のリムーバブル記録媒体であって、
記録媒体に記録されている管理情報として、複数のユーザＩＤを持ち、該ユーザＩＤが記録再生装置使用時のユーザＩＤと異なる場合に再生開始点を消去することを特徴とする記録媒体。
【請求項５】
請求項４に記載の記録媒体の情報の読み込みおよび書き込みが可能であることを特徴とする、記録再生装置。
【請求項６】
請求項３に記載のリムーバブル記録媒体であって、
記録媒体の管理情報として、使用する装置ごとの装置ＩＤを持ち、該装置ＩＤが記録再生装置使用時の装置ＩＤと異なる場合に再生開始点を消去することを特徴とする、記録媒体。
【請求項７】
請求項６に記載の記録媒体の情報の読み込みおよび書き込みが可能であることを特徴とする、記録再生装置。
【請求項８】
接続されたリムーバブル記録媒体の再生開始点を消去する消去手段を備えたことを特徴とする、記録再生装置。
【請求項９】
上記再生開始点を消去後に、リムーバブル記録媒体の接続を解除することを特徴とする、請求項８に記載の記録再生装置。
【発明の詳細な説明】
【技術分野】
【０００１】
本発明は、記録再生装置、及び記録媒体に関し、特に記録されている動画像に対しての再生開始点を記録、利用することのできる記録再生装置、及び記録媒体に関するものである。
【背景技術】
【０００２】
近時、ＣＳ放送やＢＳ放送等のデジタル放送信号を記録する記録媒体として、従来のビデオテープに代わって記録容量が大きいハードディスクやＤＶＤ（Digital Versatile Disk）などの光ディスクなどを用いた映像録画再生装置が提供されている。
【０００３】
このような大容量記録媒体に、デジタル放送信号のような映像データを記録（以下、この明細書では録画という）する場合、従来のビデオテープに録画する場合に比べてはるかに多くの映像データを録画することができる。そのため、ユーザが、所望する映像データを１度に全て見ずに、途中まで視聴するというケースが多々ある。
【０００４】
このとき、上記ハードディスクや光ディスクなどを用いた映像録画再生装置では、記録した映像をどこまで視聴したかを示し、次回再生時にその地点から再生開始させることを主目的とした再生開始点を有している場合が多い。（例えば、特許文献１参照）。
【特許文献１】特開２００５−１８２８８４（2005年7月7日公開）
【発明の開示】
【発明が解決しようとする課題】
【０００５】
しかしながら、再生開始点がメディアに記録されている場合、それがリムーバブルメディアであると、同じコンテンツを別のユーザが視聴する場合（例えば、レンタル用途など）に、再生開始点が残ってしまい、不都合が生じる場合がある。
【０００６】
このとき、ユーザに再生開始点を選ばせることがほとんどだが、これは使用するユーザに余計な手間を与え、スムーズな視聴を妨げることになる。
【０００７】
すなわち、リムーバブル媒体に再生開始点などの情報が記録されている場合に、それまで再生していた装置やユーザと異なる環境で再生する場合、再生開始点などの環境やユーザに依存することの多い情報をそのまま使用することは少なく、ユーザが自分で再生開始位置を設定しなおすなどの手間が生じていた。
【０００８】
本発明は、上記の問題点に鑑みてなされたものであり、その目的は、使用するユーザや用途が異なる場合に、媒体あるいは装置に記録されている情報を利用して、記録媒体に記録されている再生開始点を無効化あるいは消去し、動画像を最初から再生できる記録再生装置および記録媒体を提供することにある。
【課題を解決するための手段】
【０００９】
（１）本発明に係る記録再生装置は、上記課題を解決するために、動画像を記録可能であり、かつ、上記動画像に関連した管理情報を記録可能なリムーバブル記録媒体に対して、情報の書き込みおよび読み込みが可能な記録再生装置であって、上記リムーバブル記録媒体の管理情報と、自装置の情報とを比較し、上記管理情報内容を書き換え可能であることを特徴とする。
【００１０】
当該構成において、媒体の持つ管理データに装置やユーザのＩＤなどの使用環境に関する情報を持たせ、実際に使用する装置の情報と記録された情報とを比較し、処理動作を変更させるようにした。
【００１１】
上記の構成によれば、使用する環境やユーザが変化したときに、再生開始点などの固有な情報をユーザに意識させることなく消去するので、利便性が向上するという効果を奏する。
【００１２】
（２）本発明に係るリムーバブル記録媒体は、上記課題を解決するために、上記リムーバブル記録媒体であって、管理情報の構成要素として再生開始点を記録可能であり、記録した再生開始点を任意のタイミングで消去可能であることを特徴とする。
【００１３】
（３）本発明に係るリムーバブル記録媒体は、上記課題を解決するために、リムーバブル記録媒体であって、管理情報の構成要素として、記録再生装置に割り当てられた装置ＩＤを記録可能であることを特徴とする。
【００１４】
（４）本発明に係るリムーバブル記録媒体は、上記課題を解決するために、上記リムーバブル記録媒体および上記記録再生装置により構成され、記録媒体に記録されている管理情報として、複数のユーザＩＤを持ち、該ユーザＩＤが記録再生装置使用時のユーザＩＤと異なる場合に再生開始点を消去することを特徴とする。
【００１５】
（５）本発明に係る記録再生装置は、上記課題を解決するために、上記記録媒体の情報の読み込みおよび書き込みが可能であることを特徴とする。
【００１６】
（６）本発明に係るリムーバブル記録媒体は、上記課題を解決するために、上記リムーバブル記録媒体および上記記録再生装置により構成され、記録媒体の管理情報として、使用する装置ごとの装置ＩＤを持ち、該装置ＩＤが記録再生装置使用時の装置ＩＤと異なる場合に再生開始点を消去することを特徴とする。
【００１７】
（７）本発明に係る記録再生装置は、上記課題を解決するために、上記記録媒体の情報の読み込みおよび書き込みが可能であることを特徴とする。
【００１８】
（８）本発明に係る記録再生装置は、上記課題を解決するために、接続されたリムーバブル記録媒体の再生開始点を消去する消去手段を備えたことを特徴とする。
【００１９】
（９）また、本発明に係る記録再生装置は、上記構成に加えて、上記再生開始点を消去後に、リムーバブル記録媒体の接続を解除することを特徴とする。
【発明の効果】
【００２０】
本発明に係る記録再生装置は、以上のように、動画像を記録可能であり、かつ、上記動画像に関連した管理情報を記録可能なリムーバブル記録媒体に対して、情報の書き込みおよび読み込みが可能な記録再生装置であって、上記リムーバブル記録媒体の管理情報と、自装置の情報とを比較し、上記管理情報内容を書き換え可能であることを特徴とする。
【００２１】
それ故、使用する環境やユーザが変化したときに、再生開始点などの固有な情報をユーザに意識させることなく消去するので、利便性が向上するという効果を奏する。
【発明を実施するための最良の形態】
【００２２】
本発明の一実施形態について、図１から図５に基づいて説明すると、以下の通りである。
【００２３】
＜記録再生装置の構成について＞
図１は、本発明の一実施形態に係る記録再生装置の基本的な構成例を示すブロック図である。尚、図中、点線の矢印は制御信号の流れ、実線の矢印はデータ信号の流れを示す。
【００２４】
記録再生装置１０１は、リムーバブル記録媒体１０９を着脱可能に接続するための外部入出力インタフェース（Ｉ／Ｆ）１０２、操作入力部１０７からの操作信号を入力するユーザＩ／Ｆ１０４、記録再生装置１０１を制御するＣＰＵやメモリ等を備えた制御部１０３、映像情報を再生する再生部１０５、および再生開始点情報を読み書きするための再生開始点制御部１０６から構成されている。
【００２５】
操作入力部１０７及び表示部１０８は、情報記録再生装置１０１と一体または外部接続されて配置される。
【００２６】
リムーバブル記録媒体１０９は、記録再生装置１０１とは独立して、記録再生装置１０１に着脱可能に配置される。
【００２７】
なお、この例は構成の一例であり、例えば、映像情報を入力するための受信部（図示せず）、映像情報を一時的に保持するバッファ（図示せず）などがあってもよいし、記録媒体が内蔵されている構成であっても構わない。
【００２８】
＜構成の詳細について＞
上記各部についてより詳細に説明する。
【００２９】
外部入出力Ｉ／Ｆ１０２は、記録再生装置１０１とリムーバブル記録媒体１０９とを接続するためのインタフェースである。外部入出力Ｉ／Ｆ１０２は、リムーバブル記録媒体１０９の着脱機構とデータの読み書きを行うインタフェースも保持している。外部入出力Ｉ／Ｆ１０２における、リムーバブル記録媒体１０９とのデータの読み書きを行うインタフェースとしては、ＡＴＡ（AT Attachment）、ＵＳＢ（Universal Serial Bus）、ＩＥＥＥ１３９４などのインタフェースが存在するが、いずれを用いてもよい。
【００３０】
ユーザＩ／Ｆ１０４は、録画再生動作等の、記録再生装置１０１における動作の選択を行う部分である。
【００３１】
制御部１０３は、ユーザＩ／Ｆ１０４からの入力などに基づき、各構成部の制御を行う部分である。
【００３２】
再生部１０５は、映像情報の再生を行う部分である。
【００３３】
操作入力部１０７は、利用者が記録再生装置１０１を操作するための手段である。操作入力部１０７は、典型的には操作リモコンや、記録再生装置１０１に具備されているボタンなどである。
【００３４】
再生開始点制御部１０６は、リムーバブル記録媒体１０９などから取得した再生開始点情報の読み込み、書き込み、および読み込み書き込みの判別などを行うものである。
【００３５】
表示部１０８は、映像情報およびユーザＩ／Ｆ１０４の操作により作成されるＯＳＤ（On Screen Display）を表示するためのものである。表示部１０８は、例えば、液晶ディスプレイや、プラズマディスプレイ、有機ＥＬディスプレイなどのディスプレイ装置である。
【００３６】
リムーバブル記録媒体１０９は、動画データおよび管理データを記録する。リムーバル記録媒体１０９は、リムーバブルハードディスクやＤＶＤなどが想定される。
【００３７】
なお、この実施形態では、記録媒体をリムーバブル記録媒体としているが、記録媒体はリムーバブルでなく記録再生装置１０１に内蔵されているものなどでも構わない。
【００３８】
また、記録媒体は、動画データ１１０と動画データ１１０に関連した再生開始点情報を含む管理データ１１１とが記録できるものとする。
【００３９】
＜再生開始点を記録する手順について＞
図１の構成において、再生開始点を記録するための典型的な処理のフローチャートを図２に示す。
【００４０】
制御部１０５は、外部入出力Ｉ／Ｆ１０２を介して、リムーバブル記録媒体１０９から動画データと管理データとを読み込む（ステップ２０１、以下Ｓ２０１と略す）。
【００４１】
次に、再生開始点制御部１０６は、再生開始点を読み込み（Ｓ２０２）、読み込まれた再生開始点に応じた地点から再生を開始するよう再生部１０５に働きかけ、再生を開始させる（Ｓ２０３）。
【００４２】
このとき、再生開始点の情報が存在しないなどの場合は、その動画データを先頭から再生することになる。
【００４３】
ただし、この場合、システムによって再生できないデータとして扱ってもよいし、再生開始位置を任意の箇所にするなどしても構わない。
【００４４】
次に、操作部１０７からの命令などにより、再生終了した場合、再生部１０５により、再生終了処理が行われ（Ｓ２０４）、その際に、次回再生開始するための再生開始点を再生終了した位置として管理データに書き込み（Ｓ２０５）、その管理データをリムーバブル記録媒体１０９に書き込む（Ｓ２０６）ことで、再生開始点の読み込みと書き込みが行われ、次回再生時には再生終了した箇所から再生開始することができる。
【００４５】
＜開始点を消去し再生開始する手順について＞
次に、図２に示す処理手順を踏まえて、開始点を消去して、再生開始する場合の典型的な処理のフローチャートを図３に示す。
【００４６】
制御部１０５は外部入出力Ｉ／Ｆ１０２を介してリムーバブル記録媒体１０９から動画データと管理データとを読み込む（Ｓ３０１）。
【００４７】
次に、再生開始点制御部１０６は、再生開始点を読み込む（Ｓ３０２）。
【００４８】
再生開始点制御部１０６は、この読み込んだ開始点をそのまま利用するか、それとも消去するかを判別する処理を実行し（Ｓ３０３）、その処理により、再生開始点を消去せずにそのまま使用して再生開始するのであれば、読み込まれた再生開始点に応じた地点から再生を開始するよう再生部１０５に働きかけ、再生を開始させる（Ｓ３０４）。
【００４９】
ここで、消去するのであれば、Ｓ３０８に処理を移し、記録されている再生開始点を消去してから、Ｓ３０４に処理を移す。
【００５０】
このとき、再生開始点の情報が存在しないなどの場合は、そのデータの映像の一番最初から再生することになる。
【００５１】
ただし、この場合、システムによって再生できないデータとして扱ってもよいし、再生開始位置を任意の箇所にするなどしても構わない。
【００５２】
次に、操作部１０７からの命令などにより、再生終了した場合、再生部１０５により、再生終了処理が行われ（Ｓ３０５）、その際に、次回再生開始するための再生開始点を再生終了した位置として管理データに書き込み（Ｓ３０６）、その管理データをリムーバブル記録媒体１０９に書き込む（Ｓ３０７）ことで、再生開始点の読み込みと書き込みが行われ、次回再生時には再生終了した箇所から再生開始することができる。
【００５３】
＜再生開始点を消去するタイミングについて＞
なお、上記再生開始点の消去は、図３の例では再生開始前に行っているが、消去するタイミングは再生開始時に限らず、再生終了後や、再生中に行ってもよく、使用される装置のアプリケーションや使用目的によって変更する 。
【００５４】
また、リムーバブル記録媒体１０９を、記録再生装置１０１に接続したとき、あるいはユーザが望む任意のタイミングで、録画されている全てのタイトルまたはユーザが指定した任意のタイトルについて、対応する管理データを読み出し、再生開始点を消去してから書き込む処理を行ってもよい。このとき、再生開始点以外にも、例えば視聴済みか否かを示すフラグをクリアして未視聴状態とするなど、管理データ内の任意のデータを書き換える処理を行ってもよい。
【００５５】
＜構成の変形例＞
また、記録再生装置１０１の構成の変形例として、リムーバブル記録媒体１０９を接続すると、録画されている全てのタイトルまたはユーザが指定した任意のタイトルについて、対応する管理データ内の再生開始点を自動的に消去するなど、任意のデータの書き換えを行い、その後、リムーバブル記録媒体１０９の接続を解除し、リムーバブル記録媒体１０９を排出などする構成でもよい。
【００５６】
＜再生開始点を消去するか否かの判別について＞
次に、再生開始点を消去するか否かの判別をするＳ３０３の処理の一例について、説明する。
【００５７】
消去の判別には、例えば、図４のように管理データの構成要素として再生装置ＩＤ４０１を持つ管理データ構造を持たせ、図５のフローチャートの手順に示すように、管理データに記録されている再生装置ＩＤと実際に再生を行う装置の装置ＩＤを比較し、異なっている場合に、これまでと異なる環境で再生すると判断して、記録してあった再生開始点の情報を消去して再生開始することなどができる。
【００５８】
また、このとき、再生開始点を消去するのではなく、使用せずに再生開始するなどしても構わない。
【００５９】
図４では、他に例として再生ユーザＩＤ４０２や開始点消去フラグ４０３などの情報を管理要素の例として挙げており、装置ＩＤと同様に比較して処理を変更することができる。
【００６０】
また、再生開始点を記録する際、再生開始点を記録した日時の情報も同時に記録し、再生開始時に、一定以上の日数が経過している場合は再生開始点を消去するなどしてもよい。
【００６１】
＜補足事項＞
また、本実施の形態では、特に再生開始点の消去に関する処理を例としている。しかし、再生開始点の消去に限らず、記録媒体に記録されている再生環境や使用ユーザに関する情報と実際に使用する記録再生装置やユーザの情報とを比較することで行う処理は、再生動作の制御や管理情報の書き換えなど、記録再生装置の処理全般に適用されるものとする。
【００６２】
また、これらの情報は、使用するユーザや装置環境によって、上記のように自動的に変更することが望まれない場合もあるため、使用する際には、装置あるいは記録媒体にこれらの情報あるいは情報比較の処理を使用するか否かを示すフラグなどを持たせ、使用ユーザが任意に変更できるようにしたり、再生開始点の消去を自動的に行わず、ユーザの操作によって実行するようにしてもよい。
【００６３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００６４】
最後に、記録再生装置１０１の各ブロック、特に制御部１０３、再生部１０５、および再生開始点制御部１０６は、ハードウェアロジックによって構成してもよいし、次のようにＣＰＵを用いてソフトウェアによって実現してもよい。
【００６５】
すなわち、記録再生装置１０１は、各機能を実現する制御プログラムの命令を実行するＣＰＵ（central  processing  unit）、上記プログラムを格納したＲＯＭ（read  only  memory）、上記プログラムを展開するＲＡＭ（random  access  memory）、上記プログラムおよび各種データを格納するメモリ等の記憶装置（記録媒体）などを備えている。そして、本発明の目的は、上述した機能を実現するソフトウェアである記録再生装置１０１の制御プログラムのプログラムコード（実行形式プログラム、中間コードプログラム、ソースプログラム）をコンピュータで読み取り可能に記録した記録媒体を、上記記録再生装置１０１に供給し、そのコンピュータ（またはＣＰＵやＭＰＵ）が記録媒体に記録されているプログラムコードを読み出し実行することによっても、達成可能である。
【００６６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００６７】
また、記録再生装置１０１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual  private  network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモートコントロール装置のような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【００６８】
使用する環境やユーザが変化したときに、再生開始点などの固有な情報をユーザが意識することなく消去するので、リムーバブル記録媒体を使用する記録再生機器に広汎に適用できる。
【図面の簡単な説明】
【００６９】
【図１】本実施の形態における、記録再生装置１０１および記録媒体１０９のシステム構成図である。
【図２】本実施の形態における、再生開始点を記録するための典型的な処理のフローチャートである。
【図３】本実施の形態における、開始点を消去して、再生開始する場合の典型的な処理のフローチャートである。
【図４】管理データ構成要素例を示す図である。
【図５】本実施の形態における、再生開始点を消去するか否かの判別処理のフローチャートである。
【符号の説明】
【００７０】
１０１  記録再生装置
１０２  外部入出力Ｉ／Ｆ
１０３  制御部
１０４  ユーザＩ／Ｆ
１０５  再生部
１０６  再生開始点制御部
１０７  操作入力部
１０８  表示部
１０９  リムーバブル記録媒体
１１０  動画像データ
１１１  管理データ
４０１  装置ＩＤ
４０２  ユーザＩＤ
４０３  開始点消去フラグ
【図１】
2008097790.tif 000003
【図２】
2008097790.tif 000004
【図３】
2008097790.tif 000005
【図４】
2008097790.tif 000006
【図５】
2008097790.tif 000007